(57)【要約】【課題】ユーザが購入物件を検討するといった場面での使用に好適なシステムを提供する。【解決手段】配置シミュレーション装置４００は、不動産物件の間取図データ上に仮想的に配置される家具ツールが記憶されている家具ツールメモリ４１０と、前記間取図データの縮尺比率に応じてメモリ４１０内に記憶されているツールの寸法をデフォルト寸法に変換する変換手段４２０と、変換手段４２０によって寸法が変換されたツールをユーザ端末５００で保存可能な態様で送信する送信手段４３０とを備える。ユーザ端末５００は、送信手段４３０から送信されるツールを受信する受信手段５２０と、受信手段５２０によって受信された物品のツールの向き・大きさ又は配色をカスタマイズしてから間取図データ上に仮想配置する仮想配置手段５３０と、仮想配置手段５３０によって各物品が仮想配置された間取図データを自装置のメモリ５５０に保存する保存手段５４０とを備える。【選択図】  図２
2007140921.tif 000002
【特許請求の範囲】
【請求項１】
不動産物件の間取図データ上に仮想的に配置される物品のツールが記憶されているメモリと、
シミュレーション対象の不動産物件の間取図データの縮尺比率に応じて前記メモリ内に記憶されている物品のツールの寸法をデフォルト寸法に変換する変換手段と、
前記変換手段によって寸法が変換された物品のツールをユーザ端末で保存可能な態様で送信する送信手段とを備える、物品配置シミュレーション提供装置。
【請求項２】
不動産物件の間取図データ上に仮想的に配置される物品のツールが記憶されているメモリと、
シミュレーション対象の不動産物件の間取図データの縮尺比率に応じて前記メモリ内に記憶されている物品のツールの寸法をデフォルト寸法に変換する変換手段と、
前記変換手段によって寸法が変換された物品のツールを当該各物品の向き・大きさ又は配色をユーザがカスタマイズ可能な態様で送信する送信手段とを備える、物品配置シミュレーション提供装置。
【請求項３】
予め複数の間取図データを記憶しておき、
前記送信手段は、ユーザによって選択された間取図データを送信する、請求項１記載の物品配置シミュレーション提供装置。
【請求項４】
前記送信手段は、前記不動産物件の所在地、床面積を含む物件情報を送信する、請求項１記載の物品配置シミュレーション提供装置。
【請求項５】
前記間取図データの送信をユーザに要求する要求手段を備える、請求項１記載の物品配置シミュレーション提供装置。
【請求項６】
前記要求手段は、前記不動産物件の所在地、床面積を含む物件情報を要求する、請求項４記載の物品配置シミュレーション提供装置。
【請求項７】
シミュレーション対象の不動産物件の間取図データを当該間取図データの縮尺比率を特定可能な態様で送信する送信手段と、
前記間取図データ上に仮想的に配置される物品のツールであって前記縮尺比率に従属したデフォルト寸法に変換された物品のツールを受信する受信手段と、
前記受信手段によって受信された物品のツールを前記間取図データ上に仮想配置する仮想配置手段と、
前記仮想配置手段によって物品のツールが仮想配置された間取図データを自装置に保存する保存手段とを備える、物品配置シミュレーション装置。
【請求項８】
シミュレーション対象の不動産物件の間取図データを当該間取図データの縮尺比率を特定可能な態様で送信する送信手段と、
前記間取図データ上に仮想的に配置される物品のツールであって前記縮尺比率に従属したデフォルト寸法に変換された物品のツールを受信する受信手段と、
前記受信手段によって受信された物品のツールの向き・大きさ又は配色をカスタマイズしてから前記間取図データ上に仮想配置する仮想配置手段とを備える、物品配置シミュレーション装置。
【請求項９】
不動産物件の間取図データ上に仮想的に配置される物品のツールが記憶されているメモリと、シミュレーション対象の不動産物件の間取図データの縮尺比率に応じて前記メモリ内に記憶されている物品のツールの寸法をデフォルト寸法に変換する変換手段と、前記変換手段によって寸法が変換された物品のツールをユーザ端末で保存可能な態様で送信する送信手段とを備える第１端末と、
前記送信手段から送信される前記物品のツールを受信する受信手段と、前記受信手段によって受信された物品のツールの向き・大きさ又は配色をカスタマイズしてから前記間取図データ上に仮想配置する仮想配置手段と、前記仮想配置手段によって各物品が仮想配置された間取図データを自装置に保存する保存手段とを備える第２端末とを、ネットワークを介して接続してなる、物品配置シミュレーションシステム。
【請求項１０】
不動産物件の間取図データ上に仮想的に配置される物品のツールが記憶されているメモリと、シミュレーション対象の不動産物件の間取図データの縮尺比率に応じて前記メモリ内に記憶されている物品のツールの寸法をデフォルト寸法に変換する変換手段と、前記変換手段によって寸法が変換された物品のツールの向き・大きさ又は配色をユーザがカスタマイズな態様で送信する送信手段とを備える第１端末と、
前記送信手段から送信される前記テンプレートを受信する受信手段と、前記受信手段によって受信された物品のツールの向き・大きさ又は配色をカスタマイズしてから前記間取図データ上に仮想配置する仮想配置手段とを備える第２端末とを、ネットワークを介して接続してなる、物品配置シミュレーションシステム。
【発明の詳細な説明】
【技術分野】
【０００１】
本発明は、物品配置シミュレーション装置、物品配置シミュレーション提供装置及び物品配置シミュレーションシステムに関し、特に、不動産物件の間取図面上に、家具、設備機器や什器備品等の物品を配置シミュレーションする物品配置シミュレーション装置、物品配置シミュレーション提供装置及び物品配置シミュレーションシステムに関する。
【背景技術】
【０００２】
特許文献１には、不動産物件の間取図上に家具や電化製品等の関連用品を仮想的に配置して、不動産物件のレイアウトを確認することができるとともに、実際の寸法でそのレイアウトが可能であるか否かを確認することができ、さらにレイアウトを確認しながら関連用品を購入することができるネットワークを利用したレイアウト処理方法が開示されている。
【０００３】
この方法は、画面表示機能を備えた端末が、サーバを宛先とする間取図面情報の要求メッセージを送信すると、サーバは、端末からの要求メッセージを受信してソフトウェアを起動し、このソフトウェアにより前記要求された間取図面情報及び関連用品の雛形一覧を端末側の同一画面に表示させ、当該画面に表示された間取図面上に雛形一覧から選択された関連用品の雛形を配置して端末側で自由にレイアウト可能としている。
【０００４】
特許文献２には、土地・建物の不動産に係る不動産物件情報の種々な比率大きさの区画・間取図を実測値に対する所定の基準比率で大きさを統一して利用者に提供できるようにすることで、土地・建物を購入あるいは借用する利用者が当該土地・建物で使用する物置やテーブルその他の家具類などの物品を配置したときのイメージ・使い勝手等を予め的確に把握・認識できるようにして、各種不動産物件を購入・借用するときの支援・手助けとなるようにした不動産物件情報の区画・間取図処理システムが開示されている。
【０００５】
【特許文献１】特開2003-173371号公報
【特許文献２】特開2005-149054号公報
【発明の開示】
【発明が解決しようとする課題】
【０００６】
しかし、上記各文献に記載されている発明は、ユーザが購入物件を検討するといった場面での使用には不向きである。すなわち、通常、幾つかの購入物件候補がある場合に、それらに対して家具の配置シミュレーションを行い、その後に、シミュレーション結果を対比するであろう。上記各文献に記載されている発明は、シミュレーション結果を対比するための工夫が為されていないので、既述のように、ユーザが購入物件を検討するといった場面での使用には不向きである。
【０００７】
また、上記各文献に記載されている発明は、以下の点からも、ユーザが購入物件を検討するといった場面での使用には不向きである。すなわち、上記各文献に記載されている発明は、間取図の実状、レイアウトの実状等を考慮したものとなっていない。
【０００８】
具体的には、物品は規定サイズで製造販売されているものが多いとはいえ、昨今、種々の形状・サイズの物品が実際に製造販売されている。実際に、セミダブルサイズのベッドは、１０００ｍｍの幅のものがあれば、１２２０ｍｍの幅のものもある。したがって、ユーザが物品の寸法を自己の所持している物品に照らして変更できなければ、シミュレーションを行っても無意味に帰す場合がある。
【０００９】
また、色は、膨張色、収縮色と区分することもできる。このため、物品に対して実際に付された色により、人間が認識する物品の大きさ大きく膨らんで見えたり、小さく縮んで見えたりし、その印象は異なることが多い。
【００１０】
さらに、間取図の各部屋は、必ずしも矩形状でないこともある。六角形状、円弧状、三角状の部屋も、現実には少なくない。係る場合に、物品の配置角度を詳細に変更できなければ、せっかくの配置シミュレーションの意義が損なわれる場合がある。
【００１１】
そこで、本発明は、ユーザが購入物件を検討するといった場面での使用に好適な物品配置シミュレーション装置、物品配置シミュレーション提供装置及び物品配置シミュレーションシステムを提供することを課題とする。
【課題を解決するための手段】
【００１２】
上記課題を解決するために、本発明の物品配置シミュレーション提供装置は、
不動産物件の間取図データ上に仮想的に配置される物品のツールが記憶されているメモリと、
シミュレーション対象の不動産物件の間取図データの縮尺比率に応じて前記メモリ内に記憶されている物品のツールの寸法をデフォルト寸法に変換する変換手段と、
前記変換手段によって寸法が変換された物品のツールをユーザ端末で保存可能な態様で送信する送信手段とを備える。
【００１３】
また、本発明の物品配置シミュレーション提供装置は、
不動産物件の間取図データ上に仮想的に配置される物品のツールが記憶されているメモリと、
シミュレーション対象の不動産物件の間取図データの縮尺比率に応じて前記メモリ内に記憶されている物品のツールの寸法をデフォルト寸法に変換する変換手段と、
前記変換手段によって寸法が変換された物品のツールを当該各物品の向き・大きさ又は配色をユーザがカスタマイズ可能な態様で送信する送信手段とを備える。
【００１４】
予め複数の間取図データを記憶しておき、前記送信手段で、ユーザによって選択された間取図データを送信してもよい。係る場合、この物品配置シミュレーション提供装置は、マンションデベロッパなどの不動産販売業者が好適に用いることができる。例えば、当該業者が、販売対象のマンションの各部屋の間取図データを用意しておき、それを、当該マンションの購入希望者に、購入部屋を決定させるために使用させるといった使用が可能となる。また、購入者に対して、部屋への家具の配置をシミュレーションさせるといった使用も可能となる。
【００１５】
なお、送信手段は、前記不動産物件の所在地、床面積を含む物件情報を送信することも可能である。
【００１６】
また、前記間取図データの送信をユーザに要求する要求手段を備えることもできる。係る場合、例えば、不動産仲介事業者が好適に用いることができる。例えば、顧客へのサービスの一環として、顧客が賃貸借を希望する物件の間取図データを送信してもらい、それをメモリなどに登録すれば、当該顧客がその間取図に対して自己の所有する家具のシミュレーションを行わせることができる。
【００１７】
前記要求手段は、前記不動産物件の所在地、床面積を含む物件情報を要求するようにしてもよい。
【００１８】
さらに、本発明の物品配置シミュレーション装置は、
シミュレーション対象の不動産物件の間取図データを当該間取図データの縮尺比率を特定可能な態様で送信する送信手段と、
前記間取図データ上に仮想的に配置される物品のツールであって前記縮尺比率に従属したデフォルト寸法に変換された物品のツールを受信する受信手段と、
前記受信手段によって受信された物品のツールを前記間取図データ上に仮想配置する仮想配置手段と、
前記仮想配置手段によって物品のツールが仮想配置された間取図データを自装置に保存する保存手段とを備える。
【００１９】
また、本発明の物品配置シミュレーション装置は、
シミュレーション対象の不動産物件の間取図データを当該間取図データの縮尺比率を特定可能な態様で送信する送信手段と、
前記間取図データ上に仮想的に配置される物品のツールであって前記縮尺比率に従属したデフォルト寸法に変換された物品のツールを受信する受信手段と、
前記受信手段によって受信された物品のツールの向き・大きさ又は配色をカスタマイズしてから前記間取図データ上に仮想配置する仮想配置手段とを備える。
【００２０】
さらにまた、本発明の物品配置シミュレーションシステムは、
不動産物件の間取図データ上に仮想的に配置される物品のツールが記憶されているメモリと、シミュレーション対象の不動産物件の間取図データの縮尺比率に応じて前記メモリ内に記憶されている物品のツールの寸法をデフォルト寸法に変換する変換手段と、前記変換手段によって寸法が変換された物品のツールをユーザ端末で保存可能な態様で送信する送信手段とを備える第１端末と、
前記送信手段から送信される前記物品のツールを受信する受信手段と、前記受信手段によって受信された物品のツールの向き・大きさ又は配色をカスタマイズしてから前記間取図データ上に仮想配置する仮想配置手段と、前記仮想配置手段によって各物品が仮想配置された間取図データを自装置に保存する保存手段とを備える第２端末とを、ネットワークを介して接続してなる。
【００２１】
また、本発明の物品配置シミュレーションシステムは、
不動産物件の間取図データ上に仮想的に配置される物品のツールが記憶されているメモリと、シミュレーション対象の不動産物件の間取図データの縮尺比率に応じて前記メモリ内に記憶されている物品のツールの寸法をデフォルト寸法に変換する変換手段と、前記変換手段によって寸法が変換された物品のツールの向き・大きさ又は配色をユーザがカスタマイズな態様で送信する送信手段とを備える第１端末と、
前記送信手段から送信される前記テンプレートを受信する受信手段と、前記受信手段によって受信された物品のツールの向き・大きさ又は配色をカスタマイズしてから前記間取図データ上に仮想配置する仮想配置手段とを備える第２端末とを、ネットワークを介して接続してなる。
【発明を実施するための形態】
【００２２】
以下、本発明の実施形態について、図面を参照して説明する。
図１は、本発明の実施形態の家具配置シミュレーション装置からユーザ端末へ提供される、家具配置シミュレーションを行うためのシミュレータページの模式図である。本実施形態では、例えば、高度な家具配置シミュレーションを実現するために、ユーザがシミュレーション時に閲覧する画像を鮮明なものとする。具体的には、ベクター画像でウェブコンテンツを作成できるようにしており、このために、本実施形態では、例えば、Macromedia Flash技術を採用している。
【００２３】
図１には、ユーザが選択した間取図２００と、間取図２００に仮想的に家具ツールを配置するための操作部１００とを示している。
【００２４】
操作部１００は、間取図２００の概要情報が記載される情報欄１１０と、間取図２００内に配置される家具ツールを有する家具ツール部１５０と、家具ツール部１５０に設定されているツールの大きさ、色、向きを変更するツール変更部１３０と、ファイル等に関する設定を行う設定部１７０とに大別される。
【００２５】
情報欄１１０は、例えば、住居専有面積欄１１１と、専用ポーチ面積欄１１２と、バルコニー面積欄１１３と、物件紹介欄１１４とを有する。
【００２６】
家具ツール部１５０は、ベッドルームツール１５１と、テーブル・デスクツール１５２と、ソファーツール１５３と、その他の家具ツール１５４と、電話製品ツール１５５とを有する。ここでは、ベッドルームツール１５１が選択されている状態を示している。ベッドルームツール１５１には、例えば、シングルベッドツール、セミダブルベッドツール、ダブルベッドツール、枕ツール等が用意されている。同様に、例えば、テーブル・デスクツール１５２には、キッチンテーブルツール、パーソナルコンピュータ（ＰＣ）デスクツール等が用意されている。
【００２７】
ツール変更部１３０は、家具ツール部１５０内の各ツールに付す名称欄１３１と、各ツールの横幅変更部１３２と、各ツールの奥行変更部１３３と、各ツールの向き（回転）変更部１３４と、変更内容を確定させるための変形適用ボタン１３５と、その変形を解除するための変形解除ボタン１３６と、所定のツールを削除する削除ボタン１３７と、全ツールを削除する全削除ボタン１３８と、ツールに配する色を変更する配色ボタン１３９と、コンセント差込口・ＬＡＮケーブル差込口・テレビ配線差込口・電話差込口や各ツールに付箋メモなどを付すためのツールボタン１４０と、印刷ボタン１４１とを有する。
【００２８】
設定部１７０は、操作方法のヘルプボタン１７１と、間取図２００を拡大する拡大ボタン１７２と、ファイルを保存する保存ボタン１７３と、保存されているファイルを開くボタン１７４とを有する。
【００２９】
一方、間取図２００は、ここでは、専用ポーチ、玄関、洋室３室、出窓、和室、押入、リビングダイニング、キッチン、浴室、洗面所、トイレ、バルコニー等に分類されている。
【００３０】
本実施形態では、図１に示すような画像を、ユーザ端末のディスプレイに表示させ、マウス／キーボードなどの外部入力装置を操作することで、ツールの大きさなどを変更し、さらに、そのツールを間取図内にドラッグ・ドロップし、室内への家具の配置シミュレーションを行えるようにしている。
【００３１】
図２は、家具配置シミュレーション装置を含む家具配置シミュレーションシステムの機能ブロック図である。
【００３２】
図２に示すように、家具配置シミュレーションシステムは、不動産関連業者などが操作する家具配置シミュレーション装置４００と、家具配置シミュレーションを行いたいユーザが操作するユーザ端末５００とが、インターネットなどのネットワーク６００を介して接続されている。
【００３３】
家具配置シミュレーション装置４００は、以下説明する、家具ツールメモリ４１０と、変換手段４２０と、送信手段４３０と、間取図・入力データメモリ４４０と、要求手段４５０とを備える。ユーザ端末５００は、以下説明する、送信手段５１０と、受信手段５２０と、仮想配置手段５３０と、保存手段５４０と、メモリ５５０とを備える。
【００３４】
家具ツールメモリ４１０は、不動産物件の間取図２００に仮想的に配置される家具ツールが記憶されているものである。具体的には、家具ツールメモリ４１０には、図１に示す家具ツール部１５０内の各ツールが記憶されている。家具ツールメモリ４１０及び間取図・入力データメモリ４４０は、例えば、家具配置シミュレーション装置４００内のハードディスクでよい。
【００３５】
変換手段４２０は、シミュレーション対象の不動産物件の間取図データの縮尺比率に応じて、家具ツールメモリ４１０内に記憶されている各家具ツールの寸法をデフォルト寸法に変換するものである。例えば、実際に物件での１ｍの長さを、間取図２００上に１０ピクセルで示したら、ツールの１ｍの長さもこれに対応させて１０ピクセルで示すように演算処理を行っている。なお、本実施形態では、間取図に隣接させて、スケールも付記している。例えば、変換手段４２０は、家具配置シミュレーション装置４００内のＣＰＵによって実現される。
【００３６】
送信手段４３０は、変換手段４２０によって寸法が変換された家具ツールの向き・大きさ又は配色をユーザがカスタマイズ可能な態様で、ユーザ端末５００に送信するものである。また、送信手段４３０は、変換手段４２０によって寸法が変換された家具ツールを、ユーザ端末５００で保存可能な態様で送信するものである。実際には、送信手段４３０は、ユーザによって選択された間取図データと、不動産物件の所在地、床面積を含む物件情報とをユーザ端末５００に送信するものである。なお、送信手段４３０は、Flash自体も、ユーザ端末５００へ送信する。そして、ユーザ端末５００で、図１に示すシミュレータページを作成させるようにしている。
【００３７】
間取図・入力データメモリ４４０は、複数の間取図データが記憶されているものである。間取図データは、不動産関連業者側で用意したものでもよいし、ユーザから送信されたものでもよい。間取図データは、不動産関連業者が用意してもよいし、ユーザが用意してもよい。通常、家具配置シミュレーション装置４００の操作者がマンションデベロッパなどの不動産販売業者であれば、自身が販売する物件の間取図を用意しておくであろう。一方、家具配置シミュレーション装置４００の操作者が不動産仲介事業者であれば、自身の取り扱う仲介物件の間取図を用意することもできるし、戸建て建設用地の購入希望者であるユーザから建てようとしている物件の間取図データを送信してもらうこともできる。本実施形態では、ユーザが間取図データを送信する場合を例に説明する。
【００３８】
要求手段４５０は、間取図データの送信をユーザに要求するものである。要求手段４５０は、具体的には、後述する図３，図４の流れ図とともに説明する各ページを記憶しておき、ユーザ端末５００でダウンロードできるようにするウェブサービスを行うものである。
【００３９】
送信手段５１０は、シミュレーション対象の不動産物件の間取図データを、当該間取図データの縮尺比率を特定可能な態様で送信するものである。なお、間取図データは、設計図面などをスキャンすることで作成したものであってもよい。
【００４０】
受信手段５２０は、家具配置シミュレーション装置４００の送信手段４３０から送信された、家具ツール、間取図データ、Flash等を受信するものである。
【００４１】
仮想配置手段５３０は、受信手段５２０によって受信された家具ツールを、後述する動作を実行可能なFlashに従って、間取図データ上に当該各記家具ツールの向き・大きさ又は配色をカスタマイズしてから仮想配置するものである。仮想配置手段５３０は、ユーザ端末５００内のＣＰＵとFlash Playerと称されるプラグインとによって実現される。
【００４２】
保存手段５４０は、ユーザがシミュレーションすることで得られるシミュレーション結果をメモリ５４０に保存するものである。なお、本実施形態では、後述するように、保存処理を工夫している。これにより、特に、本実施形態の家具配置シミュレーションを、Flash技術を用いて実現する場合にはユーザにとって利点がある。保存手段５４０は、ユーザ端末５００内のＣＰＵとプラグインとによって実現される。
【００４３】
メモリ５５０は、シミュレーション結果が保存されるものである。メモリ５４０は、ユーザがシミュレーションしている状態がリアルタイムに保存される第１保存領域と、ユーザからの保存命令があったときに第１保存領域に保存されている情報が転送される第２保存領域と、第２保存領域に保存されている情報の複製情報が保存される第３保存領域とを備える。これらの各領域は、シミュレーション対象毎にそれぞれ確保してもよい。つまり、例えば、物件Ａと物件Ｂとをシミュレーション対象としたり、物件Ａに対して２パターンのシミュレーションを行ったりする場合の双方を含む。これらの例の場合、第１〜第３保存領域が２組確保されることになる。もちろん、１組の第１〜第３保存領域だけを確保し、これらの各領域内をシミュレーション対象毎に分割するようにしてもよい。メモリ５５０は、例えば、ユーザ端末５００内のハードディスクによって実現される。
【００４４】
図３は、主として、図２に示す家具配置シミュレーション装置４００の要求手段４５０とユーザ端末５００の送信手段５１０との間の動作を示す流れ図である。なお、図３には、家具配置シミュレーション装置４００からユーザ端末５００に送信される画面の掲載情報も付記している。
【００４５】
まず、ユーザが、ユーザ端末５００を操作することで、「管理画面トップ」ページをダウンロードすると、当該ページがユーザ端末５００のディスプレイに表示される（ステップＳ１）。「管理画面トップ」ページには、「基本情報設定・変更」ページへ移行するための項目見出しと、「物件新規登録」ページへ移行するための項目見出しと、「登録済物件一覧」ページへ移行するための項目見出しとが掲載される。各項目見出しには、対応するページへのリンクが貼られている。ユーザが、初めて、家具配置シミュレーションシステムによるサービスを受ける場合には、「物件新規登録」ページへ移行するための項目見出しが指定されるであろう。この結果、「物件新規登録」ページがダウンロードされ、ユーザ端末５００のディスプレイに表示される。「基本情報設定・変更」ページ、「物件新規登録」ページ、及び、「登録済物件一覧」ページは、以下説明する複数のページから成る。
【００４６】
「基本情報設定・変更」ページは、例えば、家具配置シミュレーションシステムによるサービスを受けるのに先立ってユーザの氏名・住所・電話番号・メールアドレスなどの基本情報を設定したり、その設定内容を変更したりするページである。このページは、特に、家具配置シミュレーションシステムに特化するものではないため、説明を割愛する。
【００４７】
ユーザが、「物件新規登録」ページを指定すると、まず、この中の「間取図アップロード」ページがユーザ端末５００のディスプレイに表示される（ステップＳ２）。このページには、間取図のアップロードを要求する項目欄と、送信対象の間取図のファイルを選択するための「参照」ボタンと、選択したファイルの間取図を家具配置シミュレーション装置４００へアップロードするための「アップロード実行」ボタンと、「管理画面トップ」へ戻るボタンとが掲載される。ユーザは、「参照」ボタンをクリックするなどして、送信対象の間取図のファイルを選択して、「アップロード実行」ボタンを押下すれば、ウェブメールなどで、ユーザ端末５００から家具配置シミュレーション装置４００へ、間取図データがアップロードされる。
【００４８】
間取図のアップロードが完了すると、「項目入力」ページがダウンロードされ、ユーザ端末５００のディスプレイに表示される（ステップＳ３）。このページには、送信した間取図データの物件名、当該物件の所在地及び床面積などの種々の情報、及び、縮尺設定を行うための入力欄と、送信した間取図データと、入力欄に入力した情報を登録するための「登録」ボタンと、「間取図アップロード」画面に戻るボタンとが掲載される。ユーザは、送信した間取図データに誤りがあれば、「間取図アップロード」ページに戻るボタンを押下して、「間取図アップロード」ページを通じて正しい取り図データを選択し直せばよい。ユーザは、「項目入力」ページに対するデータ入力が完了したら、「登録」ボタンを押下すればよい。この結果、ウェブメールなどで、ユーザ端末５００から家具配置シミュレーション装置４００へ、入力データがアップロードされる。
【００４９】
入力データのアップロードが完了すると、「登録確認」ページがユーザ端末５００のディスプレイに表示される（ステップＳ４）。このページには、「項目入力」ページを通じて入力されたデータの内容と、送信した間取図データと、当該データの内容で登録してよいか否かの確認メッセージと、「登録」ボタンと、「項目入力」ページに戻るボタンとが掲載される。ユーザは、入力内容に誤りがあれば、「項目入力」ページに戻るボタンを押下して、「項目入力」ページに戻り、正しい内容を入力すればよい。入力内容が正しければ、「登録」ボタンを押下すればよい。この結果、ウェブメールなどで、ユーザ端末５００から家具配置シミュレーション装置４００へ、送信済みのデータで登録を行うように指示がなされる。この結果、間取図データ及び入力データは、家具配置シミュレーション装置４００の間取図・入力データメモリ４４０に記憶される。
【００５０】
それから、「登録完了」ページが表示される（ステップＳ５）。このページには、登録完了の旨が掲載されるとともに、シミュレーションを行うシミュレータページに割り当てられている住所（ＵＲＬ）が掲載される。ＵＲＬの表示部分には、シミュレータページに対してリンクが貼られていて、ユーザが、当該部分を指定すると、シミュレータページがユーザ端末５００のディスプレイに表示される。
【００５１】
図４は、図３に示す「管理画面トップ」ページとリンクが貼られている「登録済物件一覧」ページが指定された場合の動作を示す図である。
【００５２】
まず、「登録済物件一覧」ページの「登録物件一覧」ページがユーザ端末５００のディスプレイに表示される（ステップＳ６）。このページには、アップロードされた間取図の「物件」名と、入力データの「登録・更新日」と、シミュレータページに割り当てられている「ＵＲＬ」と、入力データの「変更」ボタンと、入力データの「削除」ボタンと、「管理画面トップ」ページに戻るボタンとが掲載される。
【００５３】
「変更」ボタンが押下されると、「登録物件変更」ページがユーザ端末５００のディスプレイに表示される（ステップＳ７）。このページには、変更ボタンに付帯する間取図変更項目見出しと、変更後のデータを入力するデータ入力項目見出しと、登録されている間取図データと、「変更」ボタンと、「登録物件一覧」ページへ戻るボタンとが掲載される。
【００５４】
ユーザは、間取図を変更したい場合には、間取図変更項目を指定すればよい。この結果、「間取図アップロード」ページがユーザ端末５００のディスプレイに表示される（ステップＳ８）。このページは、ステップＳ２において説明したページと同内容が掲載される。変更後の間取図を指定して、「アップロード実行」ボタンを押下すると、変更後の間取図がアップロードされ、その後、「登録物件変更」ページに移行する。
【００５５】
一方、ユーザは、入力データを変更したい場合には、データ入力項目欄に、変更後のデータを入力してから、「変更」ボタンを押下すればよい。この結果、ウェブメールなどで、ユーザ端末５００から家具「登録」ボタンを押下すればよい。この結果、ウェブメールなどで、ユーザ端末５００から家具配置シミュレーション装置４００へ、変更データがアップロードされる。
【００５６】
変更データのアップロードが完了すると、「登録物件変更確認」ページがユーザ端末５００のディスプレイに表示される（ステップＳ９）。このページには、「登録物件変更」ページを通じて変更されたデータの内容と、「変更」ボタンと、「登録物件変更」ページへ戻るボタンとが掲載される。ユーザは、変更内容に誤りがあれば、「登録物件変更」へ戻るボタンを押下して「登録物件変更」ページに戻り、正しい内容を入力すればよい。変更内容が正しければ、「変更」ボタンを押下すればよい。この結果、ウェブメールなどで、ユーザ端末５００から家具配置シミュレーション装置４００へ、送信済みの変更データに変更するように指示がなされる。
【００５７】
そして、「登録物件変更完了」ページが表示される（ステップＳ１０）。このページには、変更完了のメッセージと、変更後のシミュレータページに割り当てられているＵＲＬと、「登録物件一覧」ページへ戻るボタンとが掲載される。ＵＲＬの表示部分には、シミュレータページに対してリンクが貼られていて、ユーザが、当該部分を指定すると、シミュレータページがユーザ端末５００のディスプレイに表示される。
【００５８】
一方、「登録物件一覧」ページ内の「削除」ボタンが押下されると、「登録物件削除」ページがユーザ端末５００のディスプレイに表示される（ステップＳ１１）。このページには、削除ボタンに付帯する入力データと、間取図と、データの削除を行ってよいか否かの確認メッセージと、「登録物件一覧」ページへ戻るボタンとが掲載される。ユーザは、このデータを削除したい場合には、「削除」ボタンを押下すればよい。この結果、ウェブメールなどで、ユーザ端末５００から家具配置シミュレーション装置４００へ、データ削除依頼がアップロードされる。一方、このデータを削除したくない場合には、「登録物件一覧」へ戻るボタンを押下すればよい。
【００５９】
「削除」ボタンが押下され、家具配置シミュレーション装置４００でデータ削除がなされると、「登録物件削除完了」ページがユーザ端末５００のディスプレイに表示される（ステップＳ１２）。このページには、登録物件の削除が完了した旨のメッセージと、「登録物件一覧」ページへ戻るボタンとが掲載される。
【００６０】
以上説明した手順により、家具配置シミュレーション装置４００の間取図・入力データメモリ４４０には、シミュレーションに必要なデータが登録されたことになる。したがって、上記ＵＲＬを押下したり、登録物件一覧ページから所望の物件を指定したりすることで、対応するシミュレータページを、Flashとともに、家具配置シミュレーション装置４００にダウンロードすることで、家具配置のシミュレーションが可能となる。
【００６１】
以下、Flashで実現する家具配置シミュレーションについて説明する。係る場合には、ユーザ端末５００にFlash Playerがインストールされている必要がある。例えば、図１に示すシミュレータページを、Flashとともにダウンロードしたとする。ダウンロードが完了すると、保存手段５４０は、メモリ５５０内に、シミュレーション結果を保存する第３保存領域を確保する。当該確保処理は、Flashのシェアードオブジェクト技術によって、標準動作として行われる。
【００６２】
本実施形態では、このあとに、更に、保存手段５４０によって、メモリ５５０に、ユーザがシミュレーションしている状態がリアルタイムに保存される第１保存領域と、ユーザからの保存命令があったときに第１保存領域に保存されている情報が転送される第２保存領域とを確保する確保処理を実行する。これらの領域は、上記第３保存領域の記憶容量と同程度の記憶容量とすればよい。
【００６３】
また、ユーザが、例えば、デフォルト寸法が横幅１４００mm×奥行き２０００ｍｍのダブルベッドを、横幅１４１０mm×奥行き２０７０ｍｍの寸法に変更し、９０度回転させた状態で、茶色に着色して、間取図の洋室（２）の窓際に、配置することを希望しているとする。
【００６４】
この場合には、まず、ユーザは、ツール部１５０の中からダブルベッドツールを、マウスでクリック等することで選択する。すると、仮想配置手段５３０は、ダブルベッドツールの画層を作成する。
【００６５】
ユーザが、ダブルベッドツールを選択した状態で、横幅変更部１３２及び奥行変更部１３３に、それぞれ、「１４１０」、「２０７０」と入力して、さらに、向き変更部１３４に「９０」と入力してから、変形適用ボタン１３５を押下する。こうすると、仮想配置手段５３０は、この操作に従って、ツールの寸法及び向きを変更する。もちろん、大きさの変更処理と、向きの変更処理とは、別個に行うこともできる。
【００６６】
この際、本実施形態では、ツールをベクター画像としているため、寸法変更処理により、ツールに歪みが出たり、ピクセル単位の拡大によるツール端部に角部が生じたりといったことがない。また、向きの変更処理は、画層自体を、向き変更部１３４に入力された角度に従って回転させることで実現している。
【００６７】
さらに、ユーザは、配色ボタン１３９の茶色の部分を押下することで、ダブルベッドツールに対して実際に自己が所有するダブルベッドの色を施す。そして、その後、そのダブルベッドツールを、間取図２００内の洋室（２）の窓際に向けてドラッグしていき、配置希望位置に到達したら、ダブルベッドツールをドロップする。もちろん、ドロップ後に、その位置で、ツールの向きを変更することもできるし、大きさを変更することもできる。
【００６８】
同様に、ユーザは、自己が所有する或いは所有するであろう家具に係る家具ツールを選択し、それに対して所望の設定を行ってから、間取図２００内の配置希望位置までドラッグしていき、そこでドロップするという簡単な操作を行うだけで、家具の配置シミュレーションを行うことができる。
【００６９】
この際、ユーザの操作結果は、画像処理により、ユーザ端末５００のディスプレイにおいてリアルタイムで反映されていき、さらにこれに同期して、保存手段５４０により、メモリ５４０内の第１保存領域に向けて、ユーザの操作結果を示す情報が出力される。この結果、ユーザの操作結果は、第１保存領域に保存されていく。このリアルタイムでの保存処理の手法は、通常、Flashでなされているものと同様である。
【００７０】
その後、ユーザがシミュレーションを終えて、そのシミュレーション結果を保存したいと考え、保存ボタン１７３を押下すると、保存手段５４０は、メモリ５４０内の第１保存領域に保存されている情報を、メモリ５４０内の第２保存領域に向けて転送する。第２保存領域に情報が転送されると、メモリ５４０内の第３保存領域に、第２保存領域に保存されている情報の複製が保存される。したがって、保存ボタン１７３を押下する前に第１保存領域に保存されていた情報は、ユーザが保存ボタン１７３を押下することで第３保存領域にも保存される。保存手段５４０は、上記転送処理を完了すると、第１保存領域に記憶されていた情報を削除する。
【００７１】
上記保存処理を行うことで、特に、Flash技術では、以下のような利点がある。例えば、ユーザが、シミュレーション作業中に一旦保存して、引き続き作業を継続していたが、その保存時の状態に戻したいと希望した場合に、それを実現することが可能となる。つまり、この場合、第３保存領域には、上記保存内容が記憶されている。したがって、ユーザが保存ボタン１７３を押下することなくブラウザを閉じたり、開くボタン１７４を押下したりするだけで、第３保存領域に保存されている情報が読み出される。
【００７２】
仮に、第１，第２保存領域を確保していなければ、第３保存領域にリアルタイムでユーザの操作結果を示す情報が保存されてしまうため、上記ユーザの希望は実現できないことになる。
【００７３】
また、保存したファイルを開きたいときには、ユーザは、開くボタン１７４を押下すればよい。この結果、第３保存領域に保存されているファイルが読み出されて、ユーザ端末５００のディスプレイに表示される。
【００７４】
なお、例えば、物件のサイズが大型などの場合には、間取図２００上に配置される家具ツールの数は多くなる。この場合、シミュレーション結果のファイル容量は増加することになる。ファイル容量が第１保存領域の記憶容量に近づいた場合には、各保存領域の容量を、それぞれ増加すればよい。
【００７５】
また、本実施形態では、主として、ユーザが既に所有している家具の配置をシミュレーションする例を説明したが、もちろん、ユーザが家具の購入のために、当該シミュレーションを行うこともできる。
【図面の簡単な説明】
【００７６】
【図１】本発明の実施形態の家具配置シミュレーション装置からユーザ端末へ提供される、家具配置シミュレーションを行うためのシミュレータページの模式図である。
【図２】家具配置シミュレーション装置を含む家具配置シミュレーションシステムの機能ブロック図である。
【図３】図２に示す家具配置シミュレーション装置４００の要求手段４５０とユーザ端末５００の送信手段５１０との間の動作を示す流れ図である。
【図４】図３に示す「管理画面トップ」ページとリンクが貼られている「登録済物件一覧」ページが指定された場合の動作を示す図である。
【符号の説明】
【００７７】
４００  家具配置シミュレーション装置
４１０  家具ツールメモリ
４２０  変換手段
４３０  送信手段
４４０  間取図・入力データメモリ
４５０  要求手段
５００  ユーザ端末
５１０  送信手段
５２０  受信手段
５３０  仮想配置手段
５４０  保存手段
５５０  メモリ
【図１】
2007140921.tif 000003
【図２】
2007140921.tif 000004
【図３】
2007140921.tif 000005
【図４】
2007140921.tif 000006